(57)【要約】      （修正有）【課題】エンジンを軽量化することができるエンジンのスタータモータ支持装置を提供することにある。【解決手段】ブラケット７を軸受ケース３の周囲の半周に満たない湾曲プレート１３で構成し、上下端取り付けボルト通過仮想線１９を間に挟んで、クランク軸５の中心軸線１８の斜め上にリングギヤ１２とピニオンギヤ１０とのギヤ噛み合い個所２０を位置させ、軸受ケース３の周囲上部に沿ってブラケット７から内向き舌片２１を突出させ、この内向き舌片２１をシリンダブロック１の後端壁２に接当させ、上下端取り付けボルト通過仮想線１９からの内向き舌片２１の突出寸法２２を、上下端取り付けボルト通過仮想線１９からのギヤ噛み合い個所２０の離間寸法２３よりも長くした。【選択図】図１
2012189027.tif 000002
【特許請求の範囲】
【請求項１】
シリンダブロック(１)の後端壁(２)に円環状の軸受ケース(３)を介して後部軸受(４)を取り付け、この後部軸受(４)でクランク軸(５)の後ジャーナル部(６)を軸受し、
シリンダブロック(１)の後端壁(２)に軸受ケース(３)の周囲に沿うブラケット(７)を取り付け、このブラケット(７)にスタータモータ(８)を取り付け、このスタータモータ(８)の出力軸(９)にピニオンギヤ(１０)を取り付け、ブラケット(７)の後方にクランク軸(５)に取り付けたフライホイール(１１)を配置し、フライホイール(１１)にリングギヤ(１２)を取り付け、ブラケット(７)の後側でリングギヤ(１２)にピニオンギヤ(１０)を噛み合せるようにした、エンジンのスタータモータ支持装置において、
ブラケット(７)を軸受ケース(３)の周囲の半周に満たない湾曲プレート(１３)で構成し、
ブラケット(７)の上下端部(１４)(１５)を上下端取り付けボルト(１６)(１７)でそれぞれシリンダブロック(１)の後端壁(２)に固定し、クランク軸(５)の中心軸線(１８)と平行な向きに見て、上下端取り付けボルト(１６)(１７)の各軸線を通過する直線の上下端取り付けボルト通過仮想線(１９)を想定し、
この上下端取り付けボルト通過仮想線(１９)を間に挟んで、クランク軸(５)の中心軸線(１８)の斜め上にリングギヤ(１２)とピニオンギヤ(１０)とのギヤ噛み合い個所(２０)を位置させ、軸受ケース(３)の周囲上部に沿ってブラケット(７)から内向き舌片(２１)を突出させ、この内向き舌片(２１)をシリンダブロック(１)の後端壁(２)に接当させ、上下端取り付けボルト通過仮想線(１９)からの内向き舌片(２１)の突出寸法(２２)を、上下端取り付けボルト通過仮想線(１９)からのギヤ噛み合い個所(２０)の離間寸法(２３)よりも長くした、ことを特徴とするエンジンのスタータモータ支持装置。
【請求項２】
請求項１に記載したエンジンのスタータモータ支持装置において、
上下端取り付けボルト通過仮想線(１９)からの内向き舌片(２１)の突出寸法(２２)を、上下端取り付けボルト通過仮想線(１９)からのギヤ噛み合い個所(２０)の離間寸法(２３)の１．５〜２．５倍の比率とした、ことを特徴とするエンジンのスタータモータ支持装置。
【請求項３】
請求項１または請求項２に記載したエンジンのスタータモータ支持装置において、
軸受ケース(３)の周囲横側に沿ってブラケット(７)から下向き舌片(２４)を突出させ、この下向き舌片(２４)をシリンダブロック(１)の後端壁(２)に接当させ、この下向き舌片(２４)を軸受ケース(３)の下端(２５)よりも低い位置まで突出させた、ことを特徴とするエンジンのスタータモータ支持装置。
【発明の詳細な説明】
【技術分野】
【０００１】
本発明は、エンジンのスタータモータ支持装置に関し、詳しくは、エンジンを軽量化することができるエンジンのスタータモータ支持装置に関する。
【背景技術】
【０００２】
従来、エンジンのスタータモータ支持装置として、シリンダブロックの後端壁に円環状の軸受ケースを介して後部軸受を取り付け、この後部軸受でクランク軸の後ジャーナル部を軸受し、シリンダブロックの後端壁に軸受ケースの周囲に沿うブラケットを取り付け、このブラケットにスタータモータを取り付け、このスタータモータの出力軸にピニオンギヤを取り付け、ブラケットの後方にクランク軸に取り付けたフライホイールを配置し、フライホイールにリングギヤを取り付け、ブラケットの後側でリングギヤにピニオンギヤを噛み合せるようにしたものがある(例えば、特許文献１参照)。
この種のエンジンのスタータモータ支持装置によれば、ブラケットを介して簡易にスタータモータを取り付けることができる利点がある。
しかし、この従来技術では、ブラケットを軸受ケースの周囲全周に沿う環状プレートで構成しているため、問題がある。
【先行技術文献】
【特許文献】
【０００３】
【特許文献１】特開平１０−３２５３３４号公報(図１、図３参照)
【発明の概要】
【発明が解決しようとする課題】
【０００４】
《問題》  エンジンが高重量化していた。
ブラケットを軸受ケースの周囲全周に沿う環状プレートで構成しているため、ブラケットの重量が重く、エンジンが高重量化していた。
【０００５】
本発明の課題は、エンジンを軽量化することができるエンジンのスタータモータ支持装置を提供することにある。
【課題を解決するための手段】
【０００６】
請求項１に係る発明の発明特定事項は、次の通りである。
図３に例示するように、シリンダブロック(１)の後端壁(２)に円環状の軸受ケース(３)を介して後部軸受(４)を取り付け、この後部軸受(４)でクランク軸(５)の後ジャーナル部(６)を軸受し、
図１に例示するように、シリンダブロック(１)の後端壁(２)に軸受ケース(３)の周囲に沿うブラケット(７)を取り付け、このブラケット(７)にスタータモータ(８)を取り付け、このスタータモータ(８)の出力軸(９)にピニオンギヤ(１０)を取り付け、ブラケット(７)の後方にクランク軸(５)に取り付けたフライホイール(１１)を配置し、フライホイール(１１)にリングギヤ(１２)を取り付け、ブラケット(７)の後側でリングギヤ(１２)にピニオンギヤ(１０)を噛み合せるようにした、エンジンのスタータモータ支持装置において、
図１に例示するように、ブラケット(７)を軸受ケース(３)の周囲の半周に満たない湾曲プレート(１３)で構成し、
図１に例示するように、ブラケット(７)の上下端部(１４)(１５)を上下端取り付けボルト(１６)(１７)でそれぞれシリンダブロック(１)の後端壁(２)に固定し、クランク軸(５)の中心軸線(１８)と平行な向きに見て、上下端取り付けボルト(１６)(１７)の各軸線を通過する直線の上下端取り付けボルト通過仮想線(１９)を想定し、
図１に例示するように、この上下端取り付けボルト通過仮想線(１９)を間に挟んで、クランク軸(５)の中心軸線(１８)の斜め上にリングギヤ(１２)とピニオンギヤ(１０)とのギヤ噛み合い個所(２０)を位置させ、軸受ケース(３)の周囲上部に沿ってブラケット(７)から内向き舌片(２１)を突出させ、この内向き舌片(２１)をシリンダブロック(１)の後端壁(２)に接当させ、上下端取り付けボルト通過仮想線(１９)からの内向き舌片(２１)の突出寸法(２２)を、上下端取り付けボルト通過仮想線(１９)からのギヤ噛み合い個所(２０)の離間寸法(２３)よりも長くした、ことを特徴とするエンジンのスタータモータ支持装置。
【発明の効果】
【０００７】
(請求項１に係る発明)
請求項１に係る発明は、次の効果を奏する。
《効果》  エンジンを軽量化することができる。
図１に例示するように、ブラケット(７)を軸受ケース(３)の周囲の半周に満たない湾曲プレート(１３)で構成したので、ブラケット(７)が小型軽量になり、エンジンを軽量化することができる。
【０００８】
《効果》  リングギヤとピニオンギヤが損傷する不具合を抑制することができる。
図１に例示するように、ブラケット(７)が小型になると、リングギヤ(１２)へのピニオンギヤ(１０)の噛み合せ時に、上下端取り付けボルト通過仮想線(１９)を中心としてブラケット(７)が揺動するブラケット(７)の振動が発生することがあり、リングギヤ(１２)に向けてピニオンギヤ(１０)が強く押し付けられ、リングギヤ(１２)とピニオンギヤ(１０)が損傷するおそれがあるが、この発明では、内向き舌片(２１)をシリンダブロック(１)の後端壁(２)に接当させ、この内向き舌片(２１)の上下端取り付けボルト通過仮想線(１９)からの突出寸法(２２)を、上下端取り付けボルト通過仮想線(１９)からのギヤ噛み合い個所(２０)の離間寸法(２３)よりも長くしたので、ブラケット(７)の振動は内向き舌片(２１)を介してシリンダブロック(１)の後端壁(２)で受け止められ、リングギヤ(１２)とピニオンギヤ(１０)が損傷する不具合を抑制することができる。
【０００９】
(請求項２に係る発明)
請求項２に係る発明は、請求項１に係る発明の効果に加え、次の効果を奏する。
《効果》  リングギヤとピニオンギヤの損傷を抑制する機能と、エンジンの軽量化をバランス良く図ることができる。
上下端取り付けボルト通過仮想線(１９)からの内向き舌片(２１)の突出寸法(２２)を、上下端取り付けボルト通過仮想線(１９)からのギヤ噛み合い個所(２０)の離間寸法(２３)の１．５倍未満とした場合には、ブラケット(７)の振動の抑制機能が低く、リングギヤ(１２)とピニオンギヤ(１０)の損傷を抑制する機能が不十分となることがあり、２．５倍を越える比率とした場合には、エンジンの軽量化が不十分になることがあるが、図１に例示するように、本発明では、１．５〜２．５倍の比率としたため、リングギヤ(１２)とピニオンギヤ(１０)の損傷を抑制する機能と、エンジンの軽量化をバランス良く図ることができる。
【００１０】
(請求項３に係る発明)
請求項３に係る発明は、請求項１または請求項２に係る発明の効果に加え、次の効果を奏する。
《効果》リングギヤとピニオンギヤが損傷する不具合を抑制することができる。
ブラケット(７)が小型になると、リングギヤ(１２)へのピニオンギヤ(１０)の噛み合せ時に、上端取り付けボルト(１６)を中心として、ブラケット(７)の下部部(１５)が前後に揺動するブラケット(７)の前後振動が発生することがあり、リングギヤ(１２)に向けてピニオンギヤ(１０)が強く押し付けられ、リングギヤ(１２)やピニオンギヤ(１０)が損傷する不具合があるが、図１に例示するように、本発明では、下向き舌片(２４)を軸受ケース(３)の下端(２５)よりも低い位置まで突出させたので、ブラケット(７)の前後振動は下向き舌片(２４)で強力に受け止められ、その前後振動が抑制され、リングギヤ(１２)とピニオンギヤ(１０)が損傷する不具合を抑制することができる。
【図面の簡単な説明】
【００１１】
【図１】本発明の実施形態に係るエンジンの背面図である。
【図２】図１のエンジンの平面図である。
【図３】図１のエンジンの縦断側面図である。
【発明を実施するための形態】
【００１２】
図１〜図３は本発明の実施形態に係るエンジンを説明する図であり、この実施形態では、立型の直列２気筒火花点火式エンジンについて説明する。
【００１３】
図３に示すように、クランクケース(３０)の上部にシリンダ(３１)を一体に形成したシリンダブロック(１)を備え、シリンダブロック(１)の上部にシリンダヘッド(３２)を組み付け、シリンダヘッド(３２)の上部にシリンダヘッドカバー(３３)を組み付け、シリンダブロック(１)の前部に調時伝動ケース(３４)を組み付け、調時伝動ケース(３４)の前方に冷却ファン(３５)を配置している。
クランクケース(３０)内にはクランク軸(５)を収容している。クランクケース(３０)の下部にはオイルパン(４０)を組み付けている。
【００１４】
図３に示すように、シリンダブロック(１)の後端壁(２)に円環状の軸受ケース(３)を介して後部軸受(４)を取り付け、この後部軸受(４)でクランク軸(５)の後ジャーナル部(６)を軸受している。後部軸受(４)はボールベアリングである。軸受ケース(３)には後部軸受(４)の後側のオイルシール(３６)も取り付けている。
図１に示すように、シリンダブロック(１)の後端壁(２)に軸受ケース(３)の周囲に沿うブラケット(７)を取り付け、このブラケット(７)にスタータモータ(８)を取り付け、このスタータモータ(８)の出力軸(９)にピニオンギヤ(１０)を取り付け、ブラケット(７)の後方にクランク軸(５)に取り付けたフライホイール(１１)を配置し、フライホイール(１１)にリングギヤ(１２)を取り付け、ブラケット(７)の後側でリングギヤ(１２)にピニオンギヤ(１０)を噛み合せるようにしている。スタータモータ(８)は大きなトルクを得るために減速ギヤを用いたトルクリダクションタイプのものである。
【００１５】
図１に示すように、ブラケット(７)を軸受ケース(３)の周囲に沿い、この周囲の半周に満たない湾曲プレート(１３)で構成している。湾曲プレート(１３)は三日月形の金属製プレートである。
図１に示すように、ブラケット(７)の上下端部(１４)(１５)を上下端取り付けボルト(１６)(１７)でそれぞれシリンダブロック(１)の後端壁(２)に固定している。
図１に示すように、クランク軸(５)の中心軸線(１８)と平行な向きに見て、上下端取り付けボルト(１６)(１７)の各軸線を通過する直線の上下端取り付けボルト通過仮想線(１９)を想定する。
図１に示すように、この上下端取り付けボルト通過仮想線(１９)を間に挟んで、クランク軸(５)の中心軸線(１８)の斜め上にリングギヤ(１２)とピニオンギヤ(１０)とのギヤ噛み合い個所(２０)を位置させ、軸受ケース(３)の周囲上部に沿ってブラケット(７)から内向き舌片(２１)を突出させ、この内向き舌片(２１)をシリンダブロック(１)の後端壁(２)に接当させ、この内向き舌片(２１)の上下端取り付けボルト通過仮想線(１９)からの突出寸法(２２)を、上下端取り付けボルト通過仮想線(１９)からのギヤ噛み合い個所(２０)の離間寸法(２３)よりも長くしている。内向き舌片(２１)は、シリンダブロック(１)の後端壁(２)のリブ(２９)に接当させている。
【００１６】
図１に示すように、内向き舌片(２１)の上下端取り付けボルト通過仮想線(１９)からの突出寸法(２２)を、上下端取り付けボルト通過仮想線(１９)からのギヤ噛み合い個所(２０)の離間寸法(２３)の１．５〜２．５倍の比率としている。
【００１７】
図１に示すように、軸受ケース(３)の周囲横側に沿ってブラケット(７)から下向き舌片(２４)を突出させ、この下向き舌片(２４)をシリンダブロック(１)の後端壁(２)に接当させ、この下向き舌片(２４)を軸受ケース(３)の下端(２５)よりも低い位置まで突出させている。
【００１８】
図１に示すように、ブラケット(７)は上下端取り付けボルト(１６)(１７)と、上下端取り付けボルト(１６)(１７)の間に配置された中間上下取り付けボルト(３７)(３８)とでシリンダブロック(１)の後端壁(２)に取り付けられている。ブラケット(７)は中間上下取り付けボルト(３７)(３８)の間に配置されたノックピン(３９)でシリンダブロック(１)の後端壁(２)に位置決めされている。中間上下取り付けボルト(３７)(３８)とノックピン(３９)とは、上下端取り付けボルト通過仮想線(１９)に沿う位置に配置されている。
【００１９】
図１〜図３中の符号(４１)はエアクリーナ、(４２)はキャブレータ、(４３)はオイルフィルタ、(４４)はブリーザパイプ、(４５)はＥＣＵ(エンジンコントロールユニット)、(４６)はイグニッションコイル、(４７)はクランクセンサであり、クランク軸の回転数とクランク角度を検出する、(４８)は排気マニホルドである。
【符号の説明】
【００２０】
(１) シリンダブロック
(２) 後端壁
(３) 軸受ケース
(４) 後部軸受
(５) クランク軸
(６) 後ジャーナル部
(７) ブラケット
(８) スタータモータ
(９) 出力軸
(１０) ピニオンギヤ
(１１) フライホイール
(１２) リングギヤ
(１３) 湾曲プレート
(１４) ブラケットの上端部
(１５) ブラケットの下端部
(１６) 上端取り付けボルト
(１７) 下端取り付けボルト
(１８) クランク軸の中心軸線
(１９) 上下端取り付けボルト通過仮想線
(２０) ギヤ噛み合い個所
(２１) 内向き舌片
(２２) 突出寸法
(２３) 離間寸法
(２４) 下向き舌片
(２５) 軸受ケースの下端
【図１】
2012189027.tif 000003
【図２】
2012189027.tif 000004
【図３】
2012189027.tif 000005